(57)【要約】      （修正有）【課題】操作上の利便性、透過率、歩留まり、或いは配置率を向上させるタッチ装置を提供する。【解決手段】逆椀型で、頂面に孔部を有する上ケース３１と、椀型の下ケース３２とにより納置空間を形成する。さらに、外周側面を前記上ケースの前記孔部の側面に隣接するタッチパネル３４と、前記タッチパネルの頂面と前記上ケースの頂面の間の隣接箇所の両辺に跨設する中空のフレーム３５を備える。【選択図】図３Ａ
0003182880.tif 000002
【実用新案登録請求の範囲】
【請求項１】
納置空間を定義する上ケースと、
納置空間を定義する下ケースと、
側面を前記上ケースに隣接するタッチパネルと、
前記タッチパネルの頂面と前記上ケースの頂面の間の隣接箇所の両辺に跨設する中空のフレームを備える事を特徴とする、
タッチ装置。
【請求項２】
前記上ケースは内への延長部を備え、隣接箇所は前記タッチパネルの側面に隣接する事を特徴とする、請求項１に記載のタッチ装置。
【請求項３】
前記タッチパネルの頂面及び前記上ケースの前記内への延長部の頂面は実質的に同じ平面に位置する事を特徴とする、請求項２に記載のタッチ装置。
【請求項４】
前記タッチパネルは、透明基板と、前記透明基板の底面に設けられるタッチ感知層を備える事を特徴とする、請求項１に記載のタッチ装置。
【請求項５】
前記タッチパネルは、前記タッチ感知層の底面に設けられる被覆層を更に備える事を特徴とする、請求項４に記載のタッチ装置。
【請求項６】
前記フレームはポリエチレンテレフタラート（Ｐｏｌｙｅｔｈｙｌｅｎｅ  ｔｅｒｅｐｈｔｈａｌａｔｅ、ＰＥＴ）、ポリカーボネート（Ｐｏｌｙｃａｒｂｏｎａｔｅ、ＰＣ）、或いはポリメタクリル酸メチル（Ｐｏｌｙｍｅｔｈｙｌ  ｍｅｔｈａｃｒｙｌａｔｅ、ＰＭＭＡ）を含む事を特徴とする、請求項１に記載のタッチ装置。
【考案の詳細な説明】
【技術分野】
【０００１】
本考案は、中空フレームを有するタッチ装置に関する。
【背景技術】
【０００２】
タッチディスプレイは感知技術及びディスプレイ技術を結合させて形成される出入力装置であり、携帯式及び手持ち式の電子装置に普遍的に使用されている。
【０００３】
静電容量方式のタッチパネルは普及するタッチパネルの一種で、静電容量結合効果を利用してタッチ位置を検知させる。指が静電容量方式タッチパネルの表面をタッチすると、対応する位置の静電容量が変化し、これによりタッチ位置を検知させる。
【０００４】
図１は公知のタッチ装置を説明する断面模式図であり、上ケース１１及び下ケース１２で構成される。上ケース１１及び下ケース１２の位置に形成される空間内には下から上へ順に液晶表示モジュール（ＬＣＭ）１３、タッチパネル（ＴＰ）１４及び保護シール１５を含む。
図１の従来のタッチ装置１では、上ケース１１の内への延長部１１０の適度な強度を確保するためには一定の厚さを有する必要がある。前記厚さは上ケース１１の頂面及び保護シール１５の頂面に厚さの落差を形成させてしまい、ユーザーに操作時に不便或いは不快感を感じさせてしまった。このほか、従来のタッチ装置１の保護シール１５はタッチパネル１４の頂面を全面的に被覆させるため、透過率、輝度、コントラスト比、或いはタッチ感応度を低下させた。
【０００５】
図２は他の公知のタッチ装置を説明する断面模式図であり、上ケース２１及び下ケース２２を備える。上ケース２１及び下ケース２２の位置に形成される空間内には下から上へ順に液晶表示モジュール（ＬＣＭ）２３及びタッチパネル２４を含む。タッチパネル２４は上から下へ順にガラス基板２４１、ブラックマトリックス（ＢＭ）２４２、及びタッチ感知層２４３を含む。ブラックマトリックス（ＢＭ）２４２の製造工程での歩留まり率が高まらず、コストの上昇につながった。
【考案の概要】
【考案が解決しようとする課題】
【０００６】
以上のように、前述した従来の技術では、操作が不便であり、透過率と歩留まりが共に低いという欠点を有し、このため従来のタッチ装置の欠点を改善させる新たなタッチ装置が求められた。
【０００７】
そこで、本考案者は上記の欠点が改善可能と考え、鋭意検討を重ねた結果、合理的設計で上記の課題を効果的に改善する本考案の提案に到った。
【０００８】
本考案は、このような従来の問題に鑑みてなされたものである。上記課題解決のため、本考案は、タッチパネル及び上ケースを被覆する中空のフレームを有するタッチ装置を提供することを主目的とし、操作の利便性、透過率、歩留まり或いは配置率を高める。
【課題を解決するための手段】
【０００９】
上述した課題を解決し、目的を達成するために、本考案に係るタッチ装置は、納置空間を定義する上ケースと、納置空間を定義する下ケースと、側面を前記上ケースに隣接するタッチパネルと、前記タッチパネルの頂面と前記上ケースの頂面の間の隣接箇所の両辺に跨設する中空のフレームを備えることを特徴とする。
【考案の効果】
【００１０】
本考案によれば、操作の利便性、透過率、歩留まり或いは配置率を高めるタッチ装置が得られる。
【図面の簡単な説明】
【００１１】
【図１】公知のタッチ装置を説明する断面模式図である。
【図２】他の公知のタッチ装置を説明する断面模式図である。
【図３Ａ】本考案の一実施形態によるタッチ装置を説明する断面模式図である。
【図３Ｂ】本考案の図３Ａによるタッチ装置を説明する上面図である。
【図４】本考案の図３Ａによるタッチ装置を説明する断面概略図である。
【考案を実施するための形態】
【００１２】
以下に図面を参照して、本考案を実施するための形態について、詳細に説明する。なお、本考案は、以下に説明する実施形態に限定されるものではない。
【実施例】
【００１３】
まず、本考案のタッチ装置の一実施形態について説明する。
図３Ａは本考案の一実施形態によるタッチ装置を説明する断面模式図であり、図３Ｂは本考案の図３Ａによるタッチ装置を説明する上面図である。本実施形態では、タッチ装置３は上ケース３１及び下ケース３２を備える。本明細書での方向の上或いは頂面とはタッチ装置３のタッチ面を指し、方向の下或いは底面とはタッチ装置３のタッチ面の裏を指す。
前述の上ケース３１及び下ケース３２は、表示モジュール３３（例えば液晶表示モジュール（ＬＣＭ））或いは他の回路（例えば電源回路（図示せず））を納置させる納置空間を定義する。本実施形態による表示モジュール３３には従来の、或いは将来発展するであろう各種表示モジュール構造が用いられる。
【００１４】
タッチ装置３はタッチパネル（ＴＰ）３４を更に備え、例えば静電容量方式のタッチパネルは表示モジュール３３の上方に設けられる。タッチパネル３４の側面は上ケース３１に隣接する。図３Ａ及び図３Ｂによると、タッチパネル３４の側面の隣接箇所３４０は上ケース３１の内への延長部３１０に隣接し、タッチパネル３４の頂面と上ケース３１の少なくとも一部分の頂面（例えば内への延長部３１０の頂面）は実質的に同じ平面に位置される。
【００１５】
本実施形態のタッチパネル３４には従来の、或いは将来発展するであろうタッチパネル構造が用いられる。本実施形態では、図４に示すようなタッチパネル３４の断面概略図によれば、タッチパネル３４は上から下へ透明基板３４１及びタッチ感知層３４２を主に備え、タッチ感知層３４２は透明基板３４１の底面にコーティングされる。透明基板３４１及びタッチ感知層３４２により形成されるタッチパネル３４は、一般にＯＧＳ（ｏｎｅ  ｇｌａｓｓ  ｓｏｌｕｔｉｏｎ、ＯＧＳ）タッチパネルと呼ばれる。
本実施形態では、タッチ感知層３４２の底面には被覆層３４３が更に設けられる。上述の透明基板３４１及び被覆層３４３の材質は、ガラス、ポリカーボネート（Ｐｏｌｙｃａｒｂｏｎａｔｅ、ＰＣ）、ポリエチレンテレフタラート（Ｐｏｌｙｅｔｈｙｌｅｎｅ  ｔｅｒｅｐｈｔｈａｌａｔｅ、ＰＥＴ）、ポリメタクリル酸メチル（Ｐｏｌｙｍｅｔｈｙｌ  ｍｅｔｈａｃｒｙｌａｔｅ、ＰＭＭＡ）、或いは環状オレフィンコポリマー（Ｃｙｃｌｉｃ  ｏｌｅｆｉｎ  ｃｏｐｏｌｙｍｅｒ、ＣＯＣ）等の高透光率の絶縁材料である。タッチ感知層３４２の材質は、酸化インジウム錫（ＩＴＯ）或いは酸化インジウム亜鉛（ＩＺＯ）等の透明導電材料であるが、但しこれらに限定されない。
【００１６】
本考案の特徴によれば、タッチ装置３はタッチパネル３４の頂面及び上ケース３１の頂面の間の隣接箇所３４０の両辺に跨設されるフレーム３５を備える。フレーム３５の形成にはプリンティング、コーティング、或いは他の適当な技術が用いられる。本実施形態のフレーム３５は中空のフレーム、密閉型のフレーム、或いは開放型のフレームでもよい。フレーム３５の材質はポリエチレンテレフタラート（Ｐｏｌｙｅｔｈｙｌｅｎｅ  ｔｅｒｅｐｈｔｈａｌａｔｅ、ＰＥＴ）、ポリカーボネート（Ｐｏｌｙｃａｒｂｏｎａｔｅ、ＰＣ）、ポリメタクリル酸メチル（Ｐｏｌｙｍｅｔｈｙｌ  ｍｅｔｈａｃｒｙｌａｔｅ、ＰＭＭＡ）、或いは他の絶縁材料である。
本実施形態では、フレーム３５は加飾フィルム（ｄｅｃｏｒａｔｉｏｎ  ｆｉｌｍ）であり、他に様々な顔料を混合させて必要な色やパターンを形成させる。本実施形態では、タッチパネル３４のフレーム３５に被覆される領域はタッチパネル３４のレイアウト部であり、フレーム３５に被覆されない領域（即ちフレーム３５の中空領域）はタッチパネル３４の感知部である。
【００１７】
従来のタッチ装置に比較し、本実施形態では少なくとも以下の特徴を有する。本実施形態のフレーム３５は中空領域を有するため、従来の全面を被覆させる保護シール（図１の参照）のために起こる透過率低下問題が起こらない。
このほか、本実施形態のフレーム３５は遮蔽機能（タッチパネル３４のレイアウト部（配列部）を遮蔽）を有するため、従来のタッチパネル（図２の参照）のブラックマトリックス（ＢＭ）を省略可能になり、このため従来のタッチパネルの歩留まり及び配置率低下の問題を回避させる。
また、本実施形態の上ケース３１の頂面の一部及びタッチパネル３４の頂面は実質的に同じ平面に位置され、且つフレーム３５の厚さが非常に薄い。そのため、ユーザーがタッチ装置３を操作させる際に従来のタッチ装置（図１の参照）では上ケース頂面及びタッチパネル頂面の厚さに落差があるために不便であったが、これが解消される。
このほか、本考案の実施形態の配置率（即ち、１つの透明基板３４１に配列されて切り出されるタッチパネル３４の数）が図２の従来のタッチ装置２の配置率よりも高い。
【００１８】
以上、本考案の実施形態について図面を参照して詳述したが、具体的な構成はこの実施形態に限られるものではなく、本考案の要旨を逸脱しない範囲の設計変更等も含まれる。
【符号の説明】
【００１９】
１      タッチ装置
２      タッチ装置
３      タッチ装置
１１    上ケース
１２    下ケース
１３    液晶表示モジュール
１４    タッチパネル
１５    保護シール
２１    上ケース
２２    下ケース
２３    液晶表示モジュール
２４    タッチパネル
３１    上ケース
３２    下ケース
３３    表示モジュール
３４    タッチパネル
３５    フレーム
１１０  内への延長部
２４１  ガラス基板
２４２  ブラックマトリックス
２４３  タッチ感知層
３１０  内への延長部
３４０  隣接箇所
３４１  透明基板
３４２  タッチ感知層
３４３  被覆層
【図１】
0003182880.tif 000003
【図２】
0003182880.tif 000004
【図３Ａ】
0003182880.tif 000005
【図３Ｂ】
0003182880.tif 000006
【図４】
0003182880.tif 000007
【手続補正書】
【提出日】平成25年2月19日(2013.2.19)
【手続補正１】
【補正対象書類名】実用新案登録請求の範囲
【補正対象項目名】全文
【補正方法】変更
【補正の内容】
【実用新案登録請求の範囲】
【請求項１】
納置空間を定義する、逆椀型で、頂面に孔部を有する上ケースと、
納置空間を定義する、椀型の下ケースと、
タッチパネルであって、タッチパネルの外周側面を前記上ケースの前記孔部の側面に隣接するタッチパネルと、
前記タッチパネルの頂面と前記上ケースの頂面の間の隣接箇所の両辺に跨設する中空のフレームを備える事を特徴とする、
タッチ装置。
【請求項２】
前記上ケースは内への延長部を備え、前記内への延長部は前記隣接箇所で前記タッチパネルの外周側面に隣接し、前記内への延長部は前記上ケースの前記頂面を含む事を特徴とする、請求項１に記載のタッチ装置。
【請求項３】
前記タッチパネルの頂面及び前記上ケースの前記内への延長部の頂面は実質的に同じ平面に位置する事を特徴とする、請求項２に記載のタッチ装置。
【請求項４】
前記タッチパネルは、透明基板と、前記透明基板の底面に設けられるタッチ感知層を備える事を特徴とする、請求項１に記載のタッチ装置。
【請求項５】
前記タッチパネルは、前記タッチ感知層の底面に設けられる被覆層を更に備える事を特徴とする、請求項４に記載のタッチ装置。
【請求項６】
前記フレームはポリエチレンテレフタラート（Ｐｏｌｙｅｔｈｙｌｅｎｅ  ｔｅｒｅｐｈｔｈａｌａｔｅ、ＰＥＴ）、ポリカーボネート（Ｐｏｌｙｃａｒｂｏｎａｔｅ、ＰＣ）、或いはポリメタクリル酸メチル（Ｐｏｌｙｍｅｔｈｙｌ  ｍｅｔｈａｃｒｙｌａｔｅ、ＰＭＭＡ）を含む事を特徴とする、請求項１に記載のタッチ装置。